(57)【要約】【課題】  番組終了時刻が延長されたとしても、番組の開始から終了まで録画することができる放送記録装置を提供することを目的とする。【解決手段】  テレビジョン放送により送信される番組の録画予約設定時に当該番組の音声放送方式、チャンネル、録画開始時刻、録画終了時刻を含む録画予約情報を録画予約情報記憶手段１０５は記憶する。録画予約情報記憶手段１０５から読出した前記録画予約情報に含まれる前記録画開始時刻に、前記録画予約された番組を蓄積部１０９に記録を開始する。この記録開始から所定時間後に音声放送方式検出部１０５は、当該記録中の番組の音声放送方式を検出する。ＣＰＵ１０７は音声放送方式検出部１０５により検出された音声放送方式と前記録画予約情報に含まれる音声放送方式とを比較する。この比較の結果が同じであれば前記録画終了時刻に録画予約を終了し、異なる場合には前記録画終了時刻を後ろにずらす。【選択図】      図１
2006186468.tif 000002
【特許請求の範囲】
【請求項１】
テレビジョン放送により送信される番組の録画予約設定時に当該番組の音声放送方式、チャンネル、録画開始時刻、録画終了時刻を含む録画予約情報をメモリに記憶する録画予約設定手段と、
前記メモリから読出した前記録画予約情報に含まれる前記録画開始時刻に、前記録画予約された番組を記録媒体に記録する記録手段と、
前記記録手段による記録を開始してから所定時間後に、前記記録手段により記録中の番組の音声放送方式を検出する検出手段と、
前記検出手段により検出された音声放送方式と前記録画予約情報に含まれる音声放送方式とを比較する比較手段と、
前記比較手段による比較の結果が同じであれば前記録画終了時刻に録画予約を終了し、異なる場合には前記録画終了時刻を後ろにずらす録画終了時刻変更手段とを備えたことを特徴とする放送記録装置。
【請求項２】
前記検出手段は、前記比較手段による比較の結果が異なる場合には前記所定時間毎に繰り返し前記比較を行い、
前記録画終了時刻変更手段は、前記所定時間を前記繰り返した分だけ前記録画終了時刻を後ろにずらすことを特徴とする請求項１記載の放送記録装置。
【請求項３】
前記検出手段は、前記繰り返す数の上限が設けられており、
前記録画終了時刻変更手段は、前記録画終了時刻を後ろにずらす最大の大きさが設けられていることを特徴とする請求項２に記載の放送記録装置。
【請求項４】
録画予約設定手段により、テレビジョン放送により送信される番組の録画予約設定時に当該番組の音声放送方式、チャンネル、録画開始時刻、録画終了時刻を含む録画予約情報をメモリに記憶し、
記録手段により、前記メモリから読出した前記録画予約情報に含まれる前記録画開始時刻に、前記録画予約された番組を記録媒体に記録し、
検出手段により、前記記録手段による記録を開始してから所定時間後に、前記記録手段により記録中の番組の音声放送方式を検出し、
比較手段により、前記検出手段により検出された音声放送方式と前記録画予約情報に含まれる音声放送方式とを比較し、
録画終了時刻変更手段により、前記比較手段による比較の結果が同じであれば前記録画終了時刻に録画予約を終了し、異なる場合には前記録画終了時刻を後ろにずらすことを特徴とする放送記録方法。
【発明の詳細な説明】
【技術分野】
【０００１】
この発明は、記録装置に関し、特に放送番組を記録する放送記録装置に関する。
【背景技術】
【０００２】
従来、録画予約された番組の放送終了時刻が繰り下がった場合に、自動的に番組の録画終了時刻を変更する記録装置が知られている（例えば、特許文献１、２参照）。
【０００３】
これらは録画予約時にモノラル，ステレオ，２ヶ国語放送等の音声放送方式を指定しておき、録画予約開始時刻になると録画予約時に指定された音声放送方式であるかを判断し、同じであれば録画を開始する。
【０００４】
しかし、この場合音声放送方式を正しく検出するまでには例えば０．数秒程度の時間を要すため、番組の冒頭を少し録画し損なう恐れがあるという問題があった。
【特許文献１】特開平１０−３２０８６８号公報
【特許文献２】特開平０６−０３６３８９号公報
【発明の開示】
【発明が解決しようとする課題】
【０００５】
従来の放送記録装置においては、判定後に録画を開始するので、番組の冒頭を少し録画し損なう恐れがあるという問題があった。
この発明は、番組終了時刻が延長されたとしても、番組の開始から終了まで録画することができる放送記録装置を提供することを目的とする。
【課題を解決するための手段】
【０００６】
上記の目的を達成するために、この発明においては、テレビジョン放送により送信される番組の録画予約設定時に当該番組の音声放送方式、チャンネル、録画開始時刻、録画終了時刻を含む録画予約情報をメモリに記憶する録画予約設定手段と、前記メモリから読出した前記録画予約情報に含まれる前記録画開始時刻に、前記録画予約された番組を記録媒体に記録する記録手段と、前記記録手段による記録を開始してから所定時間後に、前記記録手段により記録中の番組の音声放送方式を検出する検出手段と、前記検出手段により検出された音声放送方式と前記録画予約情報に含まれる音声放送方式とを比較する比較手段と、前記比較手段による比較の結果が同じであれば前記録画終了時刻に録画予約を終了し、異なる場合には前記録画終了時刻を後ろにずらす録画終了時刻変更手段とを備えたことを特徴とする放送記録装置を提供する。
【０００７】
なお、装置に係る本発明は方法に係る発明としても成立し、方法に係る本発明は装置に係る発明としても成立する。
また、装置または方法に係る本発明は、コンピュータに当該発明に相当する手順を実行させるための（あるいはコンピュータを当該発明に相当する手段として機能させるための、あるいはコンピュータに当該発明に相当する機能を実現させるための）プログラムとしても成立し、該プログラムを記録したコンピュータ読み取り可能な記録媒体としても成立する。
【発明の効果】
【０００８】
この発明によれば、番組終了時刻が延長されたとしても、番組の開始から終了まで録画することができる。
【発明を実施するための最良の形態】
【０００９】
以下、図面を参照しながら本発明の実施の形態について説明する。
（第１の実施形態）
図１は、本発明の第１の実施形態に係る放送記録装置の構成を示す図である。
図１において放送記録装置１００は、アンテナ１０１、チューナ１０２、信号処理部１０３、現在時刻出力手段１０４、録画予約情報記憶手段１０５、操作入力部１０６、ＣＰＵ１０７、記録処理部１０８、蓄積部１０９、再生処理部１１０、メモリ１１１から構成されている。
【００１０】
チューナ１０２は、放送記録装置１００に内蔵されたチューナであり、ここでアンテナ１０１により受信された信号からチャンネル選択が行われ、チューナ１０２から得られた中間周波信号は、信号処理部１０３へ出力する。
【００１１】
信号処理部１０３は、チューナ１０２から入力された中間周波信号を検波，復調，復号等を行い、記録処理部１０８へ出力する。
記録処理部１０８は、例えば光ディスクやＨＤＤ等から構成される蓄積部１０９に記録するための処理が行われる。
チャンネルを切り換える場合には、操作入力部１０６（押しボタン或いはリモートコントロール入力）から選択チャンネル情報が与えられ、これが制御部（ＣＰＵ）１０７に入力される。するとＣＰＵ１０７は、選択チャンネル情報に応じた選局データをチューナ１０２に与え、これによりチャンネル切り換えが行われる。なお、デジタル放送で同じチャンネル周波数帯で送信されているチャンネルに切り換える場合には、同じ周波数帯で送信されたトランスポートストリームから異なる番組に切り換えることによりチャンネルの切り換えが行われる。
【００１２】
現在時刻出力手段１０４は、日時情報をＣＰＵ１０７へ出力する。
録画予約情報記憶手段１０５は、録画予約されている情報を蓄積するための記憶手段であり、例えばメモリ等から構成されている。
ＣＰＵ１０７は、放送記録装置１００全体の制御を司る制御部であり、メモリ１１１に記憶されているプログラムを実行することにより各種制御が行われる。
再生処理部１１０は、蓄積部１０９から再生した番組を再生し、表示装置１５０に表示する。
次に、録画予約を実行するときの放送記録装置の動作について図２のフローチャートを用いて詳細に説明する。
図２において、ＣＰＵ１０７は操作入力部１０６を介して入力された録画予約情報を受付けて録画予約情報記憶手段１０５に録画予約情報として記憶させる（ステップＳ２０１）。録画予約情報としては、チャンネル情報と、録画予約開始時刻情報、録画予約終了時刻情報、当該予約を延長対応にする場合には更に、録画予約する番組の音声放送方式が含まれている。なお、この受付け方法については従来から知られているＧＵＩ機能により実現することができる。例えば、再生処理部１１０にビデオメモリを持たせておき各種ＧＵＩ画像を表示装置１５０に表示させることにより実現する。
【００１３】
図３は、このようにして録画予約情報記憶手段１０５に記憶された録画予約情報を示す図である。図３の録画予約No.「００１」の録画予約内容は、チャンネル「１０」を２００４年１２月２８日１０：００から２００４年１２月２８日１１：００まで、延長対応として音声放送方式「バイリンガル」を指定して録画することを意味している。なお、録画予約No.「００２」の録画予約内容は、延長対応しないことを示している。
【００１４】
ステップＳ２０１の次に、ＣＰＵ１０７は、録画予約情報記憶手段１０５からの録画開始時刻と、現在時刻出力手段１０４からの現在時刻情報との比較を始める（ステップＳ２０２）。
【００１５】
ＣＰＵ１０７はステップＳ２０２の比較処理において、ステップＳ２０２での比較結果が一致する場合（ステップＳ２０３のＹｅｓ）は、録画予約情報に基づきチャンネル選局および記録開始制御を行う（ステップＳ２０４）。この結果、放送記録装置１００は、録画開始時刻になると録画予約した番組を受信して蓄積部１０９に蓄積を開始する。詳細にはステップＳ２０４では、録画準備期間として録画開始時刻の１分前には電源投入および録画予約情報に基づいてチューナ１０２のチャンネル選局を行う。
【００１６】
ＣＰＵ１０７はステップＳ２０２の比較処理において、ステップＳ２０２での比較結果が一致しない場合（ステップＳ２０３のＮｏ）は、ステップＳ２０２へ戻る。
ＣＰＵ１０７は、録画開始時刻から所定時間後（この例では５分間後とする）に録画を行っている番組の音声放送方式と、録画予約時に指定された音声放送方式とを比較する（ステップＳ２０６、Ｓ２０７）。
【００１７】
録画を行っている番組の音声放送方式の検出については、音声放送方式検出部１０５により検出させる。信号処理部１０３の出力信号である中間周波信号は、音声放送方式検出部１０５に出力されている。音声放送方式検出部１０５は、この中間周波信号を検波することにより、現在録画を行っている番組が音声多重信号であって副音声信号が放送されているか、或いはモノラル放送方式、ステレオ放送方式であるかを識別する。この識別は、音声多重信号処理回路を利用することにより実現できる。
【００１８】
ＣＰＵ１０７は、ステップＳ２０７での比較の結果、音声放送方式が録画予約時に指定されたものと一致した場合（ステップＳ２０８のＹｅｓ）は、予約された録画終了時刻になったら録画を停止する（ステップＳ２０９、Ｓ２１０、Ｓ２２１）。
【００１９】
ＣＰＵ１０７は、ステップＳ２０７での比較の結果、音声放送方式が録画予約時に指定されたものと一致しない場合（ステップＳ２０８のＮｏ）は、比較回数カウント値を「１」に設定（ステップＳ２１１）した後、更に５分間後に再度音声放送方式を比較する（ステップＳ２１２、Ｓ２１３、Ｓ２１４）。
【００２０】
ＣＰＵ１０７は、ステップＳ２１４での比較の結果、音声放送方式が録画予約時に指定されたものと一致した場合（ステップＳ２１５のＹｅｓ）は、「録画予約情報中の録画終了時刻」＋「比較回数カウント値」×５［分］の時刻になったら録画を停止する（ステップＳ２１９、Ｓ２２０、Ｓ２２１）。
【００２１】
ＣＰＵ１０７は、ステップＳ２１４での比較の結果、２回目の比較でも音声放送方式が指定されたものと一致しない場合（ステップＳ２１５のＮｏ）は、ステップＳ２１６にて比較回数カウント値を１インクリメントする（ステップＳ２１６）。
【００２２】
ＣＰＵ１０７は、ステップＳ２１６の次に、比較回数カウント値が１２未満かを監視する（ステップＳ２１７）。
ＣＰＵ１０７は、比較回数カウント値が１２未満であれば（ステップＳ２１８のＹｅｓ）、更に５分間後に音声放送方式を比較するためにステップＳ２１２へ戻る。反対に比較回数カウント値が１２未満でなければ（ステップＳ２１８のＮｏ）、「録画予約情報中の録画終了時刻」＋「比較回数カウント値」×５［分］の時刻になったら録画を停止する（ステップＳ２１９、Ｓ２２０、Ｓ２２１）。
【００２３】
図３の録画予約No.００１の場合を例に、図２のフローチャートでは何時に予約録画が終了するかを説明する。
例えば、ＣＰＵ１０７が１回目の比較（２００４年１２月２８日１０：０５に比較を実施）で音声放送方式が指定されたものと一致した場合には、ステップＳ２０８ではＹｅｓと判断されて録画予約情報中の録画終了時刻（２００４年１２月２８日１１：００）に予約録画処理を終了する。
【００２４】
また、例えば、ＣＰＵ１０７が２回目の比較（２００４年１２月２８日１０：１０に比較を実施）で音声放送方式が指定されたものと一致した場合には、録画予約情報中の録画終了時刻（２００４年１２月２８日１１：００）＋比較カウント値「１」×５［分］、即ち、２００４年１２月２８日１１：０５に予約録画処理を終了する。
【００２５】
３回目以降では、更に５分ずつ録画終了時刻が繰り下がる。
但し、比較カウント値の最大値はステップＳ２１８により１２に制限されているため、延長時間は最大６０分間に抑えられている。１時間延長枠は現在運用されている放送で標準的な範囲である。また、誤動作で無制限に録画が行われるのを防止する意味もある。
【００２６】
本実施形態において予約録画開始と同時に音声放送方式を比較しないのは、番組開始時刻に広告（コマーシャルメッセージ）が入ったり、番組冒頭が極端に短かかったりなどで誤認するのを避けるためである。５分間後であれば大半の番組が本編に入っているものと考えられるので、大半の誤動作を避けることができる。
【００２７】
本実施形態では、録画予約の設定時に音声放送方式をユーザが手動で指定していた。しかし、録画予約の際に音声放送方式を手動で指定するのに代え次のようにしてもよい。過去の同じ時刻に同じチャンネル番号で番組を録画したときの音声放送方式を履歴として保持しておき、ユーザにより録画予約時の設定中にチャンネル，録画開始時刻，録画終了時刻が指定されたら、履歴に含まれる音声放送方式を自動的に指定するようにしてもよい。
【００２８】
これにより、ユーザはわざわざ録画予約時に録画予約する番組の放送方式が何であるかを前もって調べる必要がない。
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００２９】
【図１】本発明の第１の実施形態に係る放送記録装置の構成を示す図。
【図２】録画予約を実行するときの放送記録装置の動作を説明するためのフローチャート。
【図３】録画予約情報記憶手段１０５に記憶された録画予約情報を示す図。
【符号の説明】
【００３０】
１００…放送記録装置、１０１…アンテナ、１０２…チューナ、１０３…信号処理部、１０４…現在時刻出力手段、１０５…録画予約情報記憶手段、１０６…操作入力部、１０７…ＣＰＵ、１０８…記録処理部、１０９…蓄積部、１１０…再生処理部、１１１…メモリ。
【図１】
2006186468.tif 000003
【図２】
2006186468.tif 000004
【図３】
2006186468.tif 000005